(57)【要約】【課題】暗い山岳トンネルなどで車両が停止してしまった場合に、暗闇の中で足元の状態を一時的にわかりやすくすることができると共に、小型で保管スペースの確保も容易な避難用光源を提供する。【解決手段】噴射口を備えた噴射缶と、前記噴射缶に封入される第１液及び前記第１液と混合することで発光剤となる第２液並びに噴射用ガスを備えた避難用光源であって、前記第１液、前記第２液及び前記噴射用ガスを前記噴射缶内で分離区画する隔壁と、前記隔壁を破壊可能に取り付けられた破壊手段を備える。【選択図】図１
2017069148.tif 000002
【特許請求の範囲】
【請求項１】
噴射口を備えた噴射缶と、
前記噴射缶に封入される第１液及び前記第１液と混合することで発光剤となる第２液並びに噴射用ガスを備えた避難用光源であって、
前記第１液、前記第２液及び前記噴射用ガスを前記噴射缶内で分離区画する隔壁と、
前記隔壁を破壊可能に取り付けられた破壊手段を備えることを特徴とする避難用光源。
【請求項２】
請求項１に記載の避難用光源において、
前記破壊手段は、前記噴射缶の外部から前記隔壁を貫通するように取り付けられ、前記噴射缶の外部に引抜部が突出していることを特徴とする避難用光源。
【請求項３】
第１液及び前記第１液と混合することで発光剤となる第２液が封入されると共に噴射口を備えた噴射缶を準備する準備工程と、
前記第１液及び前記第２液を分離区画する隔壁を破壊する破壊工程と、
前記第１液及び前記第２液を混合して発光剤を得る混合工程と、
前記発光剤を前記噴射口から対象物に対して噴射する噴射工程を備えることを特徴とする避難用光源作成方法。
【発明の詳細な説明】
【技術分野】
【０００１】
本発明は、避難用の光源に関し、特に、暗い山岳トンネルなどで車両が停止した場合に暗闇で足元の状態を一時的にわかりやすくすることができる避難用光源及び避難用光源作成方法に関する。
【背景技術】
【０００２】
営業線を走行する鉄道車両が例えば暗い山岳トンネルにおいて何らかの原因によって停止した場合、乗客を安全な場所へ避難させる必要がある。このとき、懐中電灯などを避難用光源として足元を照らしながら安全を確認したうえで移動するという手段がとられている。
【０００３】
このような懐中電灯は種々の形状が知られているが、例えば、特許文献１に記載されているように、正面と電球付近の下面部分に、光を透すガラス等を取り付け、前方と足元に電球の光が照射出来る様にした懐中電灯が知られている。このような懐中電灯によれば、足元も明るく、安心して暗闇でも歩く事が出来る。
【先行技術文献】
【特許文献】
【０００４】
【特許文献１】特開２０１４−１５７８０２号公報
【発明の概要】
【発明が解決しようとする課題】
【０００５】
しかし、懐中電灯を用いた手段によると、懐中電灯を持っている人のみが足元の安全を確認しながら移動することができるが、懐中電灯を持っていない人は足元の状態がわからないまま移動することとなり、安全性に問題があった。
【０００６】
また、全ての乗客に懐中電灯を持たせるように人数分の懐中電灯を鉄道車両に常設しておくことも懐中電灯の保管スペースの確保が難しいなど、現実的な手段として採用することは難しい。
【０００７】
そこで、本発明は上記問題に鑑みてなされたものであり、暗い山岳トンネルなどで車両が停止してしまった場合に、暗闇の中で足元の状態を一時的にわかりやすくすることができると共に、小型で保管スペースの確保も容易な避難用光源及び避難用光源作成方法を提供することを目的とする。
【課題を解決するための手段】
【０００８】
本発明に係る避難用光源は、噴射口を備えた噴射缶と、前記噴射缶に封入される第１液及び前記第１液と混合することで発光剤となる第２液並びに噴射用ガスを備えた避難用光源であって、前記第１液、前記第２液及び前記噴射用ガスを前記噴射缶内で分離区画する隔壁と、前記隔壁を破壊可能に取り付けられた破壊手段を備えることを特徴とする。
【０００９】
また、本発明に係る避難用光源において、前記破壊手段は、前記噴射缶の外部から前記隔壁を貫通するように取り付けられ、前記噴射缶の外部に引抜部が突出していると好適である。
【００１０】
本発明に係る避難用光源作成方法は、第１液及び前記第１液と混合することで発光剤となる第２液が封入されると共に噴射口を備えた噴射缶を準備する準備工程と、前記第１液及び前記第２液を分離区画する隔壁を破壊する破壊工程と、前記第１液及び前記第２液を混合して発光剤を得る混合工程と、前記発光剤を前記噴射口から対象物に対して噴射する噴射工程を備えることを特徴とする。
【発明の効果】
【００１１】
本発明に係る避難用光源は、破壊手段によって隔壁が破壊されることで、第１液と第２液を混合して発光剤となるので、この発光剤を噴射することで、暗い山岳トンネル内に発光剤を散布することができ、懐中電灯などを持っていない乗客も足元の状態を確認しながら移動することが可能となる。また、破壊手段は、噴射缶の外部に突出した引抜部を備えているので、破壊手段を引き抜くだけで、缶内の第１液及び第２液の混合を容易に行うことができる。
【００１２】
また、本発明に係る避難用光源作成方法は、第１液及び前記第１液と混合することで発光剤となる第２液が封入されると共に噴射口を備えた噴射缶を準備する準備工程と、前記第１液及び前記第２液を分離区画する隔壁を破壊する破壊工程と、前記第１液及び前記第２液を混合して発光剤を得る混合工程と、前記発光剤を前記噴射口から対象物に対して噴射する噴射工程を備えるので、暗い山岳トンネル内に発光剤を散布することができ、懐中電灯などを持っていない乗客も足元の状態を確認しながら移動することが可能となる。
【図面の簡単な説明】
【００１３】
【図１】本実施形態に係る避難用光源の噴射前の状態を示す断面図。
【図２】本実施形態に係る避難用光源の噴射時の状態を示す断面図。
【発明を実施するための形態】
【００１４】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１５】
図１は、本実施形態に係る避難用光源の噴射前の状態を示す断面図であり、図２は、本実施形態に係る避難用光源の噴射時の状態を示す断面図である。
【００１６】
図１に示すように、本実施形態に係る避難用光源１は、中空に形成されると共に噴射口１１を備えた筒状の噴射缶１２を備えている。噴射缶１２の内部には、第１液２１，第２液２２及び噴射ガス２３が封入されており、噴射缶１２の内部でこれらが混ざり合わないように、隔壁３１，３２によって第１液２１、第２液２２及び噴射ガス２３が分離区画されている。
【００１７】
隔壁３１，３２は、第１液２１、第２液及び噴射ガス２３を分離区画することができ、後述する破壊手段によって容易に破壊可能であれば如何なる素材を用いても構わないが、ポリエチレンなどのフィルムで構成されると好適である。
【００１８】
第１液２１及び第２液２２は、混合されることで発光剤となるものであればどのような組合せを適用することもできるが、例えば、塩基性溶液中のルミノールと過酸化水素を反応させたルミノール反応やシュウ酸ジフェニルと過酸化水素を組み合わせたサイリュームを適用すると発光剤として好適である。
【００１９】
また、噴射ガス２３は、如何なるものを用いても構わないが、例えば、地球温暖化係数の小さい液化石油ガス（ＬＰＧ）や圧縮窒素ガスを用いると好適である。
【００２０】
噴射缶１２には、噴射口１１及び噴射缶１２内に延設された導入管１４を備えたノズル１３が取り付けられており、ノズル１３を押し込むことで、ノズル内のバルブ構造を作動させて開弁させ、噴射缶１２内の内容物を噴射ガス２３の圧力によって導入管１４を介して噴射口１１から内容物を噴射することができる構造となっている。
【００２１】
また、噴射缶１２には、隔壁３１、３２を貫通するように破壊手段４０が取り付けられている。破壊手段４０は、隔壁３１、３２を所定のシール構造を介して貫通する針金部４１と、針金部４１の一端に取り付けられると共に、噴射缶１２の外部に突出した引抜部４２を備えている。
【００２２】
引抜部４２は、容易に把持可能であればどのような形状でも構わないが、例えば、指を引掛けて破壊手段４０を引き抜くことが可能なように円環状に形成すると好適である。
【００２３】
次に、本実施形態に係る避難用光源１の使用方法について説明を行う。
【００２４】
まず、上述した噴射缶１２を準備する（準備工程）。次に、破壊手段４０を引き抜いて隔壁３１、３２を破壊する（破壊工程）。その後、図２に示すように、噴射缶１２を振るなどして、第１液２１及び第２液２２を混合して発光剤２４を得る（混合工程）。最後に、ノズル１３を押し込んでバルブ構造を開弁させ、発光剤２４を噴射口１１から暗い山岳トンネル内の壁面や床などの対象物に対して噴射する（噴射工程）。
【００２５】
これにより、暗い山岳トンネル内に発光剤を散布することができ、発光剤の発光によって、懐中電灯などを持っていない乗客も足元の状態を確認しながら移動することが可能となる。
【００２６】
このように、本実施形態に係る避難用光源１によれば、運転席に常設できる程度に噴射缶１２を小型化することができ、非常時においても全ての乗客に懐中電灯などを持たせることなく、安全に暗い山岳トンネルなどを移動することが可能となる。
【００２７】
なお、本実施形態に係る避難用光源１では、破壊手段４０を隔壁３１、３２を貫通する針金状の部材として説明を行ったが、破壊手段の形状はこれに限らず、容易に隔壁３１、３２を破壊することができればどのような形状を採用しても構わない。その様な変更又は改良を加えた形態も本発明の技術的範囲に含まれうることが、特許請求の範囲の記載から明らかである。
【符号の説明】
【００２８】
１          避難用光源，
１１        噴射口，
１２        噴射缶，
１３        ノズル，
１４        導入管，
２１        第１液，
２２        第２液，
２３        噴射ガス，
２４        発光剤
３１，３２  隔壁
４０        破壊手段
４１        針金部，
４２        引抜部。
【図１】
2017069148.tif 000003
【図２】
2017069148.tif 000004